(57)【特許請求の範囲】
【請求項１】
圧縮空気を詰めた加圧タンクが着脱可能に取付けられ、ペイントボールを収容した容器を有する本体を備え、
装填棒の操作により前記容器の前記ペイントボールを装填位置に案内し、引き金部の操作に伴い、前記加圧タンクの圧縮空気により前記ペイントボールを前記装填位置から外部に押出して射撃を行う遊戯用マーカーであって、
コンプレッサーから延出されたホースのカプラーと前記加圧タンクとが前記本体に対して交換可能に装着されるものであり
前記本体のグリップ部には、前記装填位置に連通する管状の螺子部が取付けられており、この螺子部に対して前記加圧タンクと中空に形成された肩当て用のストック部とが交換可能に装着されるようになっており、前記ホースの前記カプラーは前記ストック部に着脱可能に取付けられ、前記引き金部の操作に伴って前記コンプレッサーからの圧縮空気を前記装填位置に圧送することを特徴とする遊戯用マーカー。
【請求項２】
圧縮空気を詰めた加圧タンクが着脱可能に取付けられ、ペイントボールを収容した容器を有する本体を備え、
装填棒の操作により前記容器の前記ペイントボールを装填位置に案内し、引き金部の操作に伴い、前記加圧タンクの圧縮空気により前記ペイントボールを前記装填位置から外部に押出して射撃を行う遊戯用マーカーであって、
コンプレッサーから延出されたホースのカプラーと前記加圧タンクとが前記本体に対して交換可能に装着されるものであり、
前記本体のグリップ部には、前記装填位置に連通する管状の螺子部が取付けられており、この螺子部に対して前記加圧タンクと中空に形成された肩当て用のストック部とが交換可能に装着されるようになっており、前記ホースの前記カプラーは前記螺子部とは異なる位置に着脱可能に取付けられ、前記引き金部の操作に伴って前記コンプレッサーからの圧縮空気を前記装填位置に圧送することを特徴とする遊戯用マーカー。
【請求項３】
前記ストック部は、直線管部と、この直線管部に対してスライド調節可能に嵌合された短筒部を有する弧状管部とからなることを特徴とする請求項１または請求項２に記載の遊戯用マーカー。
【請求項４】
前記ストック部は、直線管部と、この直線管部に対して上下方向に傾動調節可能な連結端部を有する弧状管部とからなることを特徴とする請求項１または請求項２に記載の遊戯用マーカー。
【請求項５】
前記ストック部は直線管部と弧状管部とからなり、前記カプラーは前記直線管部と前記弧状管部とに対して選択的に連結可能となっていることを特徴とする請求項１または請求項２に記載の遊戯用マーカー。
【請求項６】
前記直線管部には、係合部を有するプラグが設けられており、前記カプラーは前記プラグの前記係合部に着脱可能に嵌合する係合凹部を有することを特徴とする請求項３に記載の遊戯用マーカー。
【発明の詳細な説明】
【技術分野】
【０００１】
本発明は、長時間にわたって連続使用が可能となるように改良を施した競技性の高い遊戯用マーカーに関する。
【背景技術】
【０００２】
遊戯用マーカーのなかでも、特許文献１に記載された相互作用遊戯建造物のプランジャー加速装置では、バスケットに収容された発泡スチロール製のボールを遊戯媒体として胴体に供給し、プランジャーのハンドル操作により、コイルばねの蓄勢力を利用してボールを胴体外に発射して競技性が得られるようにしている。
【０００３】
ところが、コイルばねの蓄勢力だけでは、ボールの射程距離が短く、命中精度や臨場感に乏しいので、近年の遊戯用マーカーでは、コイルばねに代わって加圧タンクを用い、加圧タンクの圧縮空気によりぺイントボールを同芯環状の的にめがけて発射し、臨場感とともに高い競技性が得られるようにしている。
【特許文献１】特表平１１−５０４８３７号公報
【発明の開示】
【発明が解決しようとする課題】
【０００４】
この場合、加圧タンクは、遊戯用マーカーの本体に取外し可能に装着されて、このマーカーと一緒に持運びできる携帯用としてつくられている。ところが、加圧タンクの容量には限りがあり、遊戯用マーカーを長時間にわたって連続使用する場合、加圧タンクを新しいものと交換する必要がある。このため、加圧タンクを交換する手間が煩わしかったり、加圧タンクを交換する度に射撃遊戯が中断され、遊戯者を興ざめさせて娯楽性や競技性を低下させる不都合がある。
【０００５】
本発明は上記事情に鑑みてなされたもので、その目的は長時間にわたって連続使用する場合、加圧タンクを交換する必要がなくなり、射撃遊戯が中断されず、遊戯者を興ざめさせることなく高い娯楽性や競技性を保持し得る遊戯用マーカーを提供することにある。
【課題を解決するための手段】
【０００６】
（請求項１および請求項２について）
圧縮空気を詰めた加圧タンクが着脱可能に取付けられ、ペイントボールを収容した容器を有する本体を備え、装填棒の操作により容器のペイントボールを装填位置に案内し、引き金部の操作に伴い、加圧タンクの圧縮空気によりペイントボールを装填位置から外部に押出して射撃を行う遊戯用マーカーであって、コンプレッサーから延出されたホースのカプラーと加圧タンクとが本体に対して交換可能に装着される。
【０００７】
コンプレッサーからのホースをカプラーを介して本体に装着することにより、遊戯用マーカーを長時間にわたって連続使用することができ、射撃遊戯が中断されず、遊戯者を興ざめさせることなく高い娯楽性や競技性を保持することができる。
【０００８】
（請求項１について）
本体のグリップ部には、装填位置に連通する管状の螺子部が取付けられている。この螺子部に対して加圧タンクと中空に形成された肩当て用のストック部とが交換可能に装着されるようになっている。ホースのカプラーはストック部に着脱可能に取付けられ、引き金部の操作に伴ってコンプレッサーからの圧縮空気を装填位置に圧送する。
【０００９】
加圧タンクに代わって肩当て用のストック部を本体に取付けることにより、本体が安定して射撃精度を向上させることができる。とりわけ、遊戯用マーカーを長時間にわたって連続使用する場合、本体が振れず良好な射撃精度を保つことができる。
【００１０】
（請求項２について）
本体のグリップ部には、装填位置に連通する管状の螺子部が取付けられている。この螺子部に対して加圧タンクと中空に形成された肩当て用のストック部とが交換可能に装着されるようになっている。ホースのカプラーは螺子部とは異なる位置に着脱可能に取付けられ、引き金部の操作に伴ってコンプレッサーからの圧縮空気を装填位置に圧送する。
【００１１】
この場合、請求項１と同様な効果が得られる他、ホースのカプラーを螺子部とは異なる位置に取付けることにより、ストック部を取外しておいても、支障なく射撃遊戯を行うことができて機動性が高くなる。
【００１２】
（請求項３について）
ストック部は、直線管部と、この直線管部に対してスライド調節可能に嵌合された短筒部を有する弧状管部とからなる。
このため、短筒部を直線管部に対してスライド調節することにより、遊戯者の体格に見合った長さにストック部を調整できる便宜が得られる。
【００１３】
（請求項４について）
ストック部は、直線管部と、この直線管部に対して上下方向に傾動調節可能な連結端部を有する弧状管部とからなる。
このため、連結端部を直線管部に対して上下方向に傾動調節することにより、遊戯者の体格や射撃姿勢に見合った傾動度合いにストック部を調整できる便宜が得られる。
【００１４】
（請求項５について）
ストック部は直線管部と弧状管部とからなり、カプラーは直線管部と弧状管部とに対して選択的に連結可能となっている。
このため、ストック部の直線管部と弧状管部とのうちで、射撃の状況などに応じて遊戯者の都合のよい方にカプラーを連結できる便宜がある。
【００１５】
（請求項６について）
直線管部には、係合部を有するプラグが設けられており、カプラーはプラグの係合部に着脱可能に嵌合する係合凹部を有する。
このため、直線管部に対するカプラーの着脱は、係合部に対して係合凹部を挿抜する簡単な操作で済み着脱操作を迅速に行うことができる。
【発明を実施するための最良の形態】
【００１６】
本発明に係る遊戯用マーカーでは、コンプレッサーからのホースをカプラーを介して本体に装着することにより、遊戯用マーカーを長時間にわたって連続使用することができ、射撃遊戯が中断されず、遊戯者が遊戯用マーカーを用いて高い娯楽性や競技性で興じることができる。
【実施例１】
【００１７】
本発明の各実施例を図面に基づいて説明する。
本発明の実施例１に係る遊戯用マーカー１は、図１に示すように、遊戯者が野外屋内を問わず用いるもので、よく知られているように本体２に設けられたグリップ部３、装填棒４、引き金部５およびバレル部６を有する。
【００１８】
バレル部６には、多数のペイントボール７を収容した容器８が着脱可能に取付けられている。装填棒４の引き操作により容器８からのペイントボール７が本体２内の装填位置（図示せず）に一弾づつ案内されるようになっている。バレル部６の下部には、下部本体９が併設されており、下方に指向する管状の補助グリップ部１０を有している。補助グリップ部１０は、装填位置に連通するとともに、細管部１１を介してグリップ部３に設けた管状の螺子部１２に連通している。螺子部１２は内部に雌ねじ部１２ｂが刻設され、外部に雄ねじ部１２ａが刻設されている。
【００１９】
螺子部１２に対しては、内部に圧縮空気を蓄積した有底筒状の加圧タンク１３と肩当て用に設けられた中空のストック部１４とが交換可能に装着されるようになっている。加圧タンク１３は、先端外周部に雄ねじ部１３ｂを有する径小な連結管部１３ａを立設し、雄ねじ部１３ｂを螺子部１２の雌ねじ部１２ｂに螺進退させることにより着脱可能である。  ストック部１４は、直線管部１４ａと弧状管部１４ｃとからなり、弧状管部１４ｃは直線管部１４ａに連結された短筒部１４ｂを有する。直線管部１４ａの先端部は、外周部に雄ねじ部１５ａを形成した連結管１５を延設し、雄ねじ部１５ａを螺子部１２の雌ねじ部１２ｂに螺進退させることにより着脱可能である。
【００２０】
直線管部１４ａの中間部には、外周部に雄ねじ部１６ａを形成し、内部に逆止弁（図示せず）を設けたプラグ１６を形成している。
内部にレギュレータ（図示せず）を備えたコンプレッサー１９は、遊戯場に設置されるもので、先端部にカプラー１７を取付けた可撓性のホース１８を連結している。
【００２１】
ホース１８は、コンプレッサー１９の吐出口１９ｂから延出され、カプラー１７は、内周面に形成した雌ねじ部１７ａをプラグ１６の雄ねじ部１６ａに螺進退させることにより着脱可能である。この場合、カプラー１７は、雌ねじ部１７ａを螺子部１２の雄ねじ部１２ａにも螺合により着脱できるようになっている。
この場合、雌ねじ部１７ａおよび雄ねじ部１６ａを形成せず、カプラー１７を単にプラグ１６に対して挿抜することにより、カプラー１７をプラグ１６に着脱可能に設けてもよい。
【００２２】
上記構成において、遊戯用マーカー１を持運び可能な携帯用として使用する場合、連結管部１３ａの雄ねじ部１３ｂを螺子部１２の雌ねじ部１２ｂに螺合して加圧タンク１３を螺子部１２に連結する。この状態で、遊戯用マーカー１の装填棒４を引き出すことにより、容器８からのペイントボール７がバレル部６の装填位置に案内される。
この時、引き金部５を操作すると、引き金部５の操作に応じて加圧タンク１３からの圧縮空気が螺子部１２、グリップ部３、細管部１１および補助グリップ部１０を介して装填位置に圧送され、ペイントボール７をバレル部６から外部に発射する。
【００２３】
遊戯用マーカー１を長時間にわたって連続使用する場合、連結管部１３ａの雄ねじ部１３ｂを緩めて加圧タンク１３を螺子部１２から取外す。その後、連結管１５の雄ねじ部１５ａを螺子部１２の雌ねじ部１２ｂに螺合してストック部１４を螺子部１２に連結する。  
【００２４】
この際、カプラー１７の雌ねじ部１７ａをプラグ１６の雄ねじ部１６ａに螺合してカプラー１７をストック部１４に連結する。この状態で、コンプレッサー１９を駆動して引き金部５を操作すると、引き金部５の操作に応じてコンプレッサー１９からの圧縮空気がレギュレータ、ホース１８、カプラー１７、プラグ１６、ストック部１４の直線管部１４ａ、連結管１５、螺子部１２、グリップ部３、細管部１１および補助グリップ部１０を介して装填位置に圧送され、ペイントボール７をバレル部６から外部に発射する。
【００２５】
このように、本発明に係る遊戯用マーカー１では、加圧タンク１３とコンプレッサー１９とを螺子部１２に対して交換可能に設けたので、加圧タンク１３を螺子部１２から取外して、コンプレッサー１９からのホース１８をカプラー１７を介して本体２の螺子部１２に装着することができる。
【００２６】
これにより、遊戯用マーカー１を長時間にわたって連続使用することができ、射撃遊戯が中断されず、遊戯者を興ざめさせることなく高い娯楽性や競技性を保持することができる。
【００２７】
また、加圧タンク１３とストック部１４とを螺子部１２に対して交換可能に装着しているので、ストック部１４を本体２に取付けることより、本体２が安定して射撃精度を向上させることができる。とりわけ、遊戯用マーカー１を長時間にわたって連続使用する場合、本体２が振れず良好な射撃精度を保つことができる。
【実施例２】
【００２８】
図２は本発明の実施例２を示す。実施例２が実施例１と異なるところは、ストック部１４において、弧状管部１４ｃの短筒部１４ｂを直線管部１４ａに対してスライド調節可能に嵌合したことである。この場合、短筒部１４ｂの両側に横長孔１４ｅを形成するとともに、短筒部１４ｂと直線管部１４ａとの嵌合部分を貫通してナット２０ａに螺合する蝶ボルト２０を設けている。
【００２９】
実施例２では、短筒部１４ｂを直線管部１４ａに対してスライド調節し、所望のスライド位置で蝶ボルト２０をナット２０ａに締付けることにより、遊戯者の体格に見合った長さにストック部１４を調整できる便宜が得られる。
【実施例３】
【００３０】
図３は本発明の実施例３を示す。実施例３が実施例１と異なるところは、ストック部１４において、直線管部１４ａに対して上下方向に傾動調節可能な連結端部１４ｄを弧状管部１４ｃに設けたことである。この場合、図３の（ａ）、（ｂ）に示すように、連結端部１４ｄと直線管部１４ａとの重なり部分を貫通してナット２１ａに螺合する蝶ボルト２１を設けている。
【００３１】
実施例３では、連結端部１４ｄを直線管部１４ａに対して上下方向に傾動調節し、所望の傾動位置で蝶ボルト２１をナット２１ａに締付けることにより、遊戯者の体格や射撃姿勢に見合った傾動度合いにストック部１４を調整できる便宜が得られる。
【実施例４】
【００３２】
図４は本発明の実施例４を示す。実施例４が実施例１と異なるところは、ホース１８のカプラー１７を螺子部１２とは異なる位置としての補助グリップ部１０に着脱可能に取付けたことである。この場合、細管部１１は取外されており、補助グリップ部１０の外周部に雄ねじ部１０ａをカプラー１７の雌ねじ部１７ａに対応するように形成している。
なお、雄ねじ部１０ａおよび雌ねじ部１７ａを設けずに、カプラー１７を補助グリップ部１０に着脱可能に嵌め込む構成にしてもよい。
【００３３】
実施例４では、カプラー１７の雌ねじ部１７ａを補助グリップ部１０の雄ねじ部１０ａに装着することにより、ストック部１４を螺子部１２から外しておいても、支障なく射撃遊戯を行うことができて機動性が高くなる。
【実施例５】
【００３４】
図５は本発明の実施例５を示す。実施例５が実施例１と異なるところは、ストック部１４において、直線管部１４ａのプラグ１６と弧状管部１４ｃの一端部とに対してカプラー１７を選択的に連結可能としたことである。このため、弧状管部１４ｃの一端部には、カプラー１７の雌ねじ部１７ａに螺合する雄ねじ部１４ｆを形成している。
【００３５】
実施例５では、直線管部１４ａのプラグ１６と弧状管部１４ｃの雄ねじ部１４ｆとのうちで、射撃の状況などに応じて遊戯者の都合のよい方にカプラー１７を連結できる便宜がある。
【実施例６】
【００３６】
図６は本発明の実施例６を示す。実施例６のプラグ１６では、実施例４の雄ねじ部１６ａに代わって係合部１６ｂを形成し、補助グリップ部１０の先端に弾性拡縮可能な係合部１０ｂを延出させている。
この場合、補助グリップ部１０は、バレル部６に対して螺合構造により着脱可能に取り付けられている。また、カプラー１７には、実施例４の雌ねじ部１７ａに代わって、係合部１６ｂ、１０ｂに選択的に嵌合する係合凹部１７ｂを形成している。
これにより、カプラー１７は、係合凹部１７ｂを介してプラグ１６の係合部１６ｂと補助グリップ部１０の係合部１０ｂとに交換可能に連結される。
この場合、カプラー１７をプラグ１６の係合部１６ｂあるいは補助グリップ部１０の係合部１０ｂに対して挿抜することで着脱可能となるため、プラグ１６あるいは補助グリップ部１０に対する着脱操作をワンタッチで迅速に行うことができる。
【００３７】
〔変形例〕
コンプレッサー１９のカプラー１７が連結される部分であって、螺子部１２とは異なる位置とは、補助グリップ部１０に限らず、遊戯用マーカー１のうち本体２の装填位置に連通する箇所であればよい。
遊戯用マーカー１の速射性を向上する際、圧縮空気をバレル部６側に解放するための電磁弁を本体２に設け、引き金部５を引くに伴い電気パルスにより電磁弁を開きペイントボール７を圧縮空気の蓄勢圧で発射させる構成にしてもよい。
【産業上の利用可能性】
【００３８】
本発明では、コンプレッサーからのホースをカプラーを介して本体に装着することにより、遊戯用マーカーを長時間にわたって連続使用することができ、射撃遊戯が中断されず、高い娯楽性や競技性が得られる。このため、遊戯場での集客率の向上により遊戯用マーカーの需要を喚起し、関連部品の流通を介して機械産業に広く適用することができる。
【図面の簡単な説明】
【００３９】
【図１】遊戯用マーカーの使用に必要な加圧タンク、ストック部、カプラー、ホース、コンプレッサーを示す分解図である（実施例１）。
【図２】ストック部を一部断面で示す正面図である（実施例２）。
【図３】（ａ）はストック部を示す正面図、（ｂ）はストック部を一部断面で示す平面図である（実施例３）。
【図４】遊戯用マーカーの使用に必要な加圧タンク、ストック部、カプラー、ホース、コンプレッサーを示す分解図である（実施例４）。
【図５】遊戯用マーカーの使用に必要な加圧タンク、ストック部、カプラー、ホース、コンプレッサーを示す分解図である（実施例５）。
【図６】遊戯用マーカーの使用に必要な加圧タンク、ストック部、カプラー、ホース、コンプレッサーを示す分解図である（実施例６）。
【符号の説明】
【００４０】
１  遊戯用マーカー
２  本体
３  グリップ部
４  装填棒
５  引き金部
７  ペイントボール
８  容器
１０  補助グリップ部（螺子部とは異なる位置）
１２  螺子部
１３  加圧タンク
１４  ストック部
１４ａ  直線管部
１４ｂ  短筒部
１４ｃ  弧状管部
１４ｄ  連結端部
１６    プラグ
１６ｂ  係合部
１７  カプラー
１７ｂ  係合凹部
１８  ホース
１９  コンプレッサー
【図１】
0004586145.tif 000002
【図２】
0004586145.tif 000003
【図３】
0004586145.tif 000004
【図４】
0004586145.tif 000005
【図５】
0004586145.tif 000006
【図６】
0004586145.tif 000007